(57)【要約】      （修正有）【課題】鍵盤楽器と電子パッドが一体化した楽器であり、異なる複数の楽器を一使用者によって同時にかつ簡易に操作することができる楽器を提供する。【解決手段】当楽器１の右面と左面の両面において音階の出る鍵盤楽器を基本にして音を発する１又は２以上の電子パッドを設置し、その鍵盤楽器を演奏する同じ手の可動範囲内に電子パッドが設置されている構成において、どの位置の鍵盤を押していても電子パッドが演奏可能である。またいろいろな打楽器の音色を出すことができる電子パッド、当楽器専用の鍵盤楽器を設置することにより、全体の音量を調節できバランスの良い音楽を演奏する事ができる。その他、体の前面に楽器をかけることができるベルトと楽器を雨、紫外線から保護するための傘４を設置することにより、天候にかかわらず行進しながらの演奏を可能にする。【選択図】図１
0003206231.tif 000002
【実用新案登録請求の範囲】
【請求項１】
鍵盤楽器と電子パッドが一体化した楽器であり、楽器の右面と左面の両面において音階の出る鍵盤楽器を基本にして、音を発する１または２以上の電子パッドを設置したことを特徴とする楽器。
【請求項２】
前記楽器の右面と左面の両面において、鍵盤楽器を演奏する同じ手の可動範囲内に電子パッドが設置されている構成により、どの位置の鍵盤を押していても電子パッドが演奏可能であることを特徴とする請求項１記載の楽器。
【請求項３】
前記楽器の右面と左面の両面において、いろいろな打楽器の音色を出すことができる電子パッドを設置することにより、全体の音量を調節でき、バランスの良い音楽を演奏することができる請求項１または２記載の楽器。
【請求項４】
前記楽器専用の鍵盤楽器は３オクターブ分の正方形状鍵盤３７鍵設置の技術的特徴を有していて、これにより同時に電子パッドを鳴らすことを容易にすることができる請求項１〜３の何れか１項に記載の楽器。
【請求項５】
前記楽器を体の前面にかけることができるベルトを備えていることにより、行進をしながらの演奏が可能であることを特徴とする請求項１〜４の何れか１項に記載の楽器。
【請求項６】
前記楽器の上部にある電子機器を雨、紫外線から保護するための傘を設置することにより、雨天であっても行進しながらの演奏が可能であることを特徴とする請求項１〜５の何れか１項に記載の楽器。
【考案の詳細な説明】
【技術分野】
【０００１】  本考案は一使用者が鍵盤楽器と電子パッドの一体化している複数の楽器を両手で同時に操作して音楽を演奏するための楽器に関するものである。
【背景技術】
【０００２】  従来の楽器は現在存在しているギター、ピアノ、ドラムスなどがあり音楽の演奏を実施してきた。【０００３】  また過去から現在に至るまで、フェスティバルやコンサート、パーティーなどのイベントで幅広く楽器の演奏が実施されてきた。
【考案の概要】
【考案が解決しようとする課題】
【０００４】  しかしながら使用されるこれらの楽器は単体の音色がほとんどであり、エレクトーンであっても機械が実施する自動演奏システムに乗せて演奏するのが主流で、何もない状態から自分の手を使用してすべての楽器を演奏する事ができなかった。【０００５】  また当楽器に類似する通称「ワンマンバンド」においても大掛かりな装備のため楽器の準備や移動に時間がかかり、特殊な演奏技術を必要とするため、ごく限られた演奏者のみによって実施されてきた。【０００６】  本考案はこのような従来の問題を解決しようとするものでその目的は異なる複数の楽器を一使用者によって同時にかつ簡易に操作することができる楽器を提供することにある。
【課題を解決するための手段】
【０００７】  本考案は上記の目的を鑑みてなされたものであり、その要旨とするところは当楽器の右面、左面の両面において音階の出る鍵盤楽器を基本にして、音を発する１または２以上の電子パッドで設置したことを特徴とする楽器にある。【０００８】  当楽器の右面と左面の両面において鍵盤楽器を演奏する同じ手の可動範囲内に電子パッドが設置されている構成により、どの位置の鍵盤を押していても電子パッドが演奏可能である。【０００９】  当楽器のいろいろな打楽器の音色を出すことができる電子パッドを設置することにより、全体の音量を調節でき、バランスの良い音楽を演奏することができる。【００１０】  当楽器専用の鍵盤楽器は３オクターブ分の正方形状鍵盤３７鍵設置の技術的特徴を有していて、これにより同時に電子パッドを容易に鳴らすことができる。【００１１】  当楽器は体の前面に楽器をかけるベルトを備えていることにより、行進しながらの演奏が可能である。【００１２】  当楽器の上部にある電子機器を雨や紫外線から保護するための傘を設置することにより、雨天であっても行進しながらの演奏が可能である。
【考案の効果】
【００１３】  本考案によれば鍵盤楽器、電子パッドの複数の楽器をすべて自分の手により演奏することで、幅広い音楽を表現することができ、音楽の可能性を追求することができる。
【図面の簡単な説明】
【００１４】
【図１】図１は本考案にかかる楽器の一実施例を示す二局面から見た斜視図である。
【図２】図２は演奏者から見て右面を表した分解斜視図である。
【図３】図３は演奏者から見て左面を表した分解斜視図である。
【図４】図４は鍵盤楽器の詳細図である。
【図５】図５は当楽器を上部から捉えた平面図である。
【図６】図６は当楽器を正面から捉えた平面図である。
【図７】図７は鍵盤楽器、電子パッドからスピーカーに至るまでの配線図である。
【考案を実施するための形態】
【００１５】  以下、本考案の実施例を添付図面に基づいて説明するが、本考案はこれに限定されるものではない。
【実施例】
【００１６】  図１乃至図７において１が本考案にかかる楽器であって楽器１は図１に図示するように、互いに合致結合することにより、右面基体２（演奏者から見て向こう側から手前に向かって第１鍵盤楽器５、第１電子パッド６、第２電子パッド７、第３電子パッド８）と左面基体３（演奏者から見て向こう側から手前に向かって第２鍵盤楽器９、第４電子パッド１０、第５電子パッド１１、第６電子パッド１２）で構成する。【００１７】  図２で示される右面基体２は複数の楽器を設置できるように備えている。第１鍵盤楽器５（アコーディオン、ピアノ等の主旋律、副旋律、伴奏を担当）は演奏者から見て向こう側となる前部に取り付ける。その位置から手前に向かって第１電子パッド６（ハイハットシンバル）、第２電子パッド７（ライドシンバル）、第３電子パッド８（スネアドラム）を取り付け形成する。
第１鍵盤楽器５から第３電子パッド８までの長さが右手の可動範囲内にある構成により、どの鍵盤を抑えても右面基体２の全楽器を操作することが可能となる。【００１８】  図３に示される左面基体３は右面基体２と同様に複数の楽器を設置できるように備えている。第２鍵盤楽器９（ベース担当）は演奏者から見て向こう側となる前部に取り付ける。その位置から手前に向かって第４電子パッド１０（フィルイン用タム）、第５電子パッド１１（クラッシュシンバル）、第６電子パッド１２（バスドラ）を取り付け形成する。第２鍵盤楽器９から第６電子パッド１２までの長さが左手の可動範囲内にある構成により、どの鍵盤を抑えても左面基体の全楽器を操作することが可能となる。【００１９】  図４に示される第１鍵盤楽器５、第２鍵盤楽器９は縦横１５ミリの正方形の形状をした３７鍵（３オクターブ分）の鍵盤が設置されている。その中に白鍵１３、黒鍵１４と分かれていて、指で弾くことが可能となる。【００２０】  図５に示される上部基体１５には第１鍵盤楽器５、第２鍵盤楽器９の音源タブレット１６，１７が内蔵されている。タブレット画面には鍵盤がモニターされているため、どの鍵盤を押しているか確認することができる。【００２１】  図６に示されるスピーカー１９の下には各鍵盤楽器、各電子パッドの音量を調節できるミキサー２０を設置する。【００２２】  また楽器１は体前方に装着することができるベルト１８、雨や紫外線から電子機器を保護するための傘４を設置することにより、行進しながらの演奏を可能とする。【００２３】  図７に示される配線図は第１鍵盤楽器５、第１電子パッド６、第２電子パッド７、第３電子パッド８、第２鍵盤楽器９、第４電子パッド１０、第５電子パッド１１、第６電子パッド１２から操作された音声信号としてすべてミキサー２０にまとめられ音量を調節してスピーカー１９に流れるシステムになっている。
【産業上の利用可能性】
【００２４】  本考案の楽器は一使用者が複数の楽器を同時に操作して演奏する事を可能にさせ、たくさんの利用者に使用していただくことにより幅広い音楽の表現を実施し、音楽の可能性を追求することができる。
【符号の説明】
【００２５】  １・・・楽器
２・・・右面基体
３・・・左面基体
４・・・傘
５・・・第１鍵盤楽器
６・・・第１電子パッド
７・・・第２電子パッド
８・・・第３電子パッド
９・・・第２鍵盤楽器
１０・・・第４電子パッド
１１・・・第５電子パッド
１２・・・第６電子パッド
１３・・・白鍵
１４・・・黒鍵
１５・・・上部基体
１６・・・第１鍵盤楽器用タブレット
１７・・・第２鍵盤楽器用タブレット
１８・・・ベルト
１９・・・スピーカー
２０・・・ミキサー
【図１】
0003206231.tif 000003
【図２】
0003206231.tif 000004
【図３】
0003206231.tif 000005
【図４】
0003206231.tif 000006
【図５】
0003206231.tif 000007
【図６】
0003206231.tif 000008
【図７】
0003206231.tif 000009